(57)【要約】【課題】瓶類が破損するのを防止し、組立が容易で、製造コストも低減できる瓶類梱包容器の提供【解決手段】瓶類梱包容器１０は、方形の外箱１１と、内緩衝壁材１２で構成されている。内緩衝壁材１２は、外箱１１の内部に、外箱１１とは別体の一枚の折曲可能な板状材２１を折り曲げ、折曲した角部２２又は端部２３、２４を外箱１１の内側面１３ａ〜１３ｄに当接させて設置したものである。この内緩衝壁材１２で囲まれた領域内には、瓶類３１または瓶類３１を収容した箱体３２を保定することができる。【選択図】図１
2007297085.tif 000002
【特許請求の範囲】
【請求項１】
方形の外箱と、前記外箱の内部に、外箱とは別体の一枚の折曲可能な板状材を折り曲げ、折曲した角部又は端部を外箱の内側面に当接させて設置した内緩衝壁材とを備え、前記内緩衝壁材で囲まれた領域内に、瓶類又は瓶類を収容した箱体を保定する瓶類梱包容器。
【請求項２】
前記内緩衝壁材は、外箱の一角部から一内側面の中央部へ延在し、外箱の内部を環状に延在するように、外箱の隣接する内側面の中央部へ向けて折曲させて、一内側面の中央部に戻ったところで、一角部とは反対側の角部に折曲して設置したものであり、環状に配設された内緩衝壁材に瓶類又は瓶類を収容した箱体を当接させて、瓶類又は瓶類を収容した箱体を保定することを特徴とする請求項１に記載の瓶類梱包容器。
【請求項３】
前記外箱は、横断面において、瓶類を収容した箱体を、対角線を外箱の縦横に向けて、２つ横に並べて配設できる長方形の収容空間を備え、
前記内緩衝壁材は、それぞれ折曲節を介在させて直列に配設した６つの板状部を備えた折曲可能な板状材を２つ用い、それぞれ中間の４つの板状部を折曲節で折り曲げて略四角形にし、両端の板状部が直線状になるように折り曲げ、２つの内緩衝壁材を直線状に折り曲げた両端の板状部を重ね合わせて外箱の中央部に装着し、それぞれ略四角形に折り曲げた部位を外箱内の両側に装着したものであり、
前記内緩衝壁材の略四角形に折り曲げられた部位は、角部が外箱の内側面に当接するとともに、瓶類又は瓶類を収容した箱体に当接して、瓶類又は瓶類を収容した箱体を保定するものであるを特徴とする請求項１に記載の瓶類梱包容器。
【請求項４】
前記内緩衝壁材は、前記外箱の内部を環状に延在する部位において、表裏片側側面を反対側側面に厚く盛り上げ、盛り上げた側を内側にして外箱に設置した場合に前記瓶類を箱体に収容しない状態で保定し、盛り上げられていない側を内側にして外箱に設置した場合に瓶類を収容した箱体を保定することを特徴とする請求項２又は請求項３に記載の瓶類梱包容器。
【発明の詳細な説明】
【技術分野】
【０００１】
本発明は瓶類の梱包容器に関するものである。
【背景技術】
【０００２】
お酒や醤油を充填した瓶類を箱体に収容する場合、収容された瓶類が取扱い時の衝撃等により破損するのを防止する包装用箱の中に、緩衝材を入れることがある。しかし、緩衝材として合成樹脂製の発泡材を使用したものは、廃棄する材料が合成樹脂であればこれを燃やせばダイオキシンなどの有害物質が発生する恐れがあるため、廃棄処分をする時に、ダンボールが用いられる包装用箱とは分別して廃棄する必要がある。このため、廃棄の際の負担が掛かるものであった。また、合成樹脂は小さく折りたたむことができないので、相当の保管スペースが必要になる。
【０００３】
特開平９−２４９３１号公報、特開平９−２４９３２号公報には、一枚の紙を用いて組立てることができ、しかも瓶類の底面および側面への衝撃に対して、瓶類の破損を防止するものが開示されている。
【特許文献１】特開平９−２４９３１号公報
【特許文献２】特開平９−２４９３２号公報
【発明の開示】
【発明が解決しようとする課題】
【０００４】
特開平９−２４９３１号公報、特開平９−２４９３２号公報には、一枚の紙を用いて組立てることができ、しかも瓶類の底面および側面への衝撃に対して、瓶類の破損を防止するものが開示されているが、糊代を設けており、狭い領域内で糊付けを行わなければならず、組立が容易とは言えない。また、一枚の紙を用いて組立てるため、より大きな型紙が必要であり、切り出す形状もより複雑なものになるから、製造コストも掛かる。また、瓶類のみの保定であり、箱体の保定には適用できないものである。また、保定可能な瓶類の数は一個のみであり、２個またはそれ以上には適用できないものである。
【課題を解決するための手段】
【０００５】
これに対し、本発明に係る瓶類梱包容器は、方形の外箱と、外箱の内部に、外箱とは別体の一枚の折曲可能な板状材を折り曲げ、折曲した角部又は端部を外箱の内側面に当接させて設置した内緩衝壁材とを備え、内緩衝壁材で囲まれた領域内に、瓶類又は瓶類を収容した箱体を保定した状態で梱包するものである。
【発明の効果】
【０００６】
この瓶類梱包容器によれば、内緩衝壁材が、外箱とは別体の折曲可能な板状材で構成しているので、外箱への設置が容易である。しかも瓶類の側面は、内側継手部材の側面、または、瓶類を収容する箱体の側面が当接しており、外箱に加えられた衝撃は、内側継手部材の角部、または、瓶類を収容した箱体の角部を介して、瓶類に伝わる。このため、瓶類の側面に直接衝撃が作用することはなく、瓶類の破損を防止できる。また、特開平９−２４９３１号公報、特開平９−２４９３２号公報に記載されたものに比べて、必要な型紙の大きさが小さくなり、歩留まりも少なくできるから、製造コストも低減する。また、内緩衝壁材は着脱容易で取り出して別途保管すれば、保管スペースを小さくできる。また、瓶類または箱体のいずれでも、かつ、個数を問わず確実に保定可能であるという優れた特長を有する。
【発明を実施するための最良の形態】
【０００７】
以下、本発明の一実施形態に係る瓶類梱包容器を図面に基づいて説明する。なお、同じ作用を奏する部材、部位には同じ符号を付している。
【０００８】
瓶類梱包容器１０は、例えば図１に示すように、方形の外箱１１と、内緩衝壁材１２で構成されている。内緩衝壁材１２は、外箱１１の内部に、外箱１１とは別体の一枚の折曲可能な板状材２１を折り曲げ、折曲した角部２２又は端部２３、２４を外箱１１の内側面１３ａ〜１３ｄに当接させて設置したものである。この内緩衝壁材１２で囲まれた領域内には、瓶類３１または瓶類３１を収容した箱体３２を保定することができる。
【０００９】
この実施形態では、外箱１１は、横断面において、矩形の内部空間を備えた直方体の箱体であり、内緩衝壁材１２は、外箱１１の一角部１４aから一内側面１３ａの中央部へ延在させ、外箱１１の内部を、図示例では右回りに環状に延在するように、外箱１１の隣接する内側面１３ｂ、１３ｃ、１３ｄの中央部へ向けて折曲させて、一内側面１３ａの中央部に戻ったところで、一角部１４ａとは反対側の角部１４ｂに折曲して設置したものである。この瓶類梱包容器１０は、環状に配設された内緩衝壁材１２に瓶類３１を収容した箱体３２を当接させて、瓶類３１を収容した箱体３２を保定している。なお、内緩衝壁材１２は、板状材２１を折り曲げたものであり、上記のように折り曲げられて外箱１１内に設置された場合は、内緩衝壁材１２は外箱１１内で拡がろうとするので、容易には外箱１１内で動かない。従って、外箱１１内に内緩衝壁材１２を設置してから、内緩衝壁材１２で形成される空間の中に、瓶類３１または瓶類３１を収容した箱体３２を収容することができる。
【００１０】
このように、この瓶類梱包容器１０によれば、内緩衝壁材１２が、外箱１１とは別体の折曲可能な板状材２１で構成しているので、外箱１１への設置が容易である。しかも、瓶類３１の側面は、内緩衝壁材１２の側面、または、瓶類３１を収容する箱体３２の側面が当接しており、外箱１１に加えられた衝撃は、内緩衝壁材１２の角部、または、瓶類３１を収容した箱体３２の角部を介して、瓶類３１に伝わる。このため、比較的衝撃に弱い瓶類３１の側面に直接衝撃が作用することはなく、瓶類３１の破損を防止できる。また、特開平９−２４９３１号公報、特開平９−２４９３２号公報に記載されたものに比べて、必要な型紙の大きさが小さくなり、歩留まりも少なくできるから、製造コストも低減する。なお、瓶類３１は、底部や注ぎ口側は衝撃に強いが、必要に応じて、底部や注ぎ口側にも緩衝材を配設してもよい。
【００１１】
また、この瓶類梱包容器１０は、図２に示すように、瓶類を直接的に、内緩衝壁材１２に当接させて保定させることもできる。
【００１２】
この場合、内緩衝壁材１２は、図２に示すように、外箱１１の内部を環状に延在する部位において、表裏片側側面を反対側側面に厚く盛り上げた構造にするとよい。この場合、図２に示すように、盛り上げた側を内側にして外箱１１に設置した場合に瓶類３１をそのまま内緩衝壁材１２で囲まれた空間に保定することができる。また、図３に示すように、盛り上げられていない側を内側にして外箱１１に設置した場合に瓶類３１を箱体３２に収容した状態で保定することができる。
【００１３】
この実施形態では、図２、図３に示すように、内緩衝壁材１２は、折曲節２５を介在させて直列に配設した６つの板状部２６ａ〜２６ｆを備えた折曲可能な板状材２１を用いている。そして、外箱１１の内部を環状に延在する部位に、板状部２６ａ〜２６ｆの片側側面に厚紙４１を張っている。これにより、図２に示すように、厚紙４１を張って厚く盛り上げた側面を内側にして、内緩衝壁材１２を折り曲げて、外箱１１に設置すると、内緩衝壁材１２が環状に延在した部位の内側の空間が小さくなり、瓶類３１をそのまま内緩衝壁材１２に当接させて保定することができる。反対に、図３に示すように、厚紙４１を張って厚く盛り上げた側面を外側にして、内緩衝壁材１２を折り曲げて、外箱１１に設置すると、瓶類３１をそのまま保定するには、少し大きいが、瓶類３１を収容した箱体３２を保定するのに調度いい空間を形成することができる。このように、同じ内緩衝壁材１２を用いて、瓶類３１をそのまま保定することと、瓶類３１を収容した箱体３２を保定することができる。
【００１４】
なお、内緩衝壁材１２は、外箱１１の内部を環状に延在する部位において、表裏片側側面を反対側側面に厚く盛り上げた構造は、片側側面に厚紙４１を貼り付けるものに限定されない。
【００１５】
次に、本発明の他の実施形態を説明する。
【００１６】
この実施形態に係る瓶類梱包容器５０は、図４、図５に示すように、瓶類３１又は瓶類３１を収容した箱体３２を２つ収容できるものである。外箱５１は、横断面において、瓶類３１を収容した箱体３２を、対角線を外箱５１の縦横に向けて、２つ横に並べて配設できる長方形の収容空間を備えている。内緩衝壁材５２、５３は、それぞれ折曲節２５を介在させて直列に配設した６つの板状部２６ａ〜２６ｆを備えた折曲可能な板状材２１を２つ用いている。２つの内緩衝壁材５２、５３は、それぞれ中間の４つの板状部２６ｂ〜２６ｅを折曲節２５で折り曲げて略四角形にし、両端の板状部２６ａ、２６ｆが直線状になるように折り曲げている。そして、直線状に折り曲げた両端の板状部２６ａ、２６ｆを重ね合わせて外箱５１の中央部に装着し、それぞれ略四角形に折り曲げた部位２７を外箱５１内の両側に装着したものである。内緩衝壁材５２、５３の略四角形に折り曲げられた部位２７は、角部２２が外箱５１の内側面に当接するとともに、瓶類３１を収容した箱体３２に当接して、瓶類３１又は瓶類を収容した箱体３２を保定するものである。
【００１７】
なお、この実施形態では、内緩衝壁材５２、５３は、表裏片側側面を反対側側面に厚く盛り上げた構造を備えている。この場合、図４に示すように、厚紙４１を張って盛り上げた側を内側にして折り曲げて外箱５１に設置した場合に瓶類３１をそのまま内緩衝壁材５２、５３で囲まれた空間に保定することができる。また、図５に示すように、厚紙４１を張って盛り上げた側を外側にし、盛り上げられていない側を内側にして外箱５１に設置した場合に瓶類３１を箱体３２に収容した状態で保定することができる。また、この実施形態では、外箱５１に内緩衝壁材５２、５３を２つ配設できる。従って、図示は省略するが、一方の内緩衝壁材は、盛り上げた側を内側にして折り曲げて外箱に設置して、瓶類３１をそのまま内緩衝壁材で囲まれた空間に保定できるようにし、他方の内緩衝壁材は、盛り上げた側を外側にし、盛り上げられていない側を内側にして外箱に設置し、瓶類を箱体に収容した状態で保定できるように構成することもできる。
【００１８】
この瓶類梱包容器５０によれば、瓶類又は瓶類を収容した箱体を２つ収容することができる。また、瓶類３１を収容した箱体３２、内緩衝壁材５２、５３が、外箱５１とは別体の折曲可能な板状材２１で構成しているので、外箱５１への設置が容易である。しかも、瓶類３１の側面は、内緩衝壁材５２、５３の側面、または、瓶類３１を収容する箱体３２の側面が当接しており、外箱５１に加えられた衝撃は、内緩衝壁材５２、５３の角部、または、瓶類３１を収容した箱体３２の角部を介して、瓶類３１に伝わる。このため、瓶類３１の側面に直接衝撃が作用することはなく、瓶類３１の破損を防止できる。また、特開平９−２４９３１号公報、特開平９−２４９３２号公報に記載されたものに比べて、必要な型紙の大きさが小さくなり、歩留まりも少なくできるから、製造コストも低減する。なお、瓶類３１は、底部や注ぎ口側は衝撃に強いが、必要に応じて、底部や注ぎ口側にも緩衝材を配設してもよい。
【００１９】
以上、本発明の一実施形態に係る瓶類梱包容器を説明したが、本発明に係る瓶類梱包容器は、下記に示す実施形態に限定されるものではない。
【００２０】
すなわち、本発明に係る瓶類梱包容器は、方形の外箱と、外箱の内部に、外箱とは別体の一枚の折曲可能な板状材を折り曲げ、折曲した角部又は端部を外箱の内側面に当接させて設置した内緩衝壁材とを備え、内緩衝壁材で囲まれた領域内に、瓶類又は瓶類を収容した箱体を保定するものであり、上述した実施形態は、それぞれ一つの実施形態を示しているに過ぎない。
【図面の簡単な説明】
【００２１】
【図１】本発明の一実施形態に係る瓶類梱包容器の横断面図。
【図２】本発明の一実施形態に係る瓶類梱包容器の変形例を示す横断面図。
【図３】本発明の一実施形態に係る瓶類梱包容器の変形例を示す横断面図。
【図４】本発明の他の実施形態に係る瓶類梱包容器の横断面図。
【図５】本発明の他の実施形態に係る瓶類梱包容器の横断面図。
【符号の説明】
【００２２】
１０   瓶類梱包容器
１１   外箱
１２   内緩衝壁材
２２   角部
２３、２４    端部
３１   瓶類
３２   箱体
【図１】
2007297085.tif 000003
【図２】
2007297085.tif 000004
【図３】
2007297085.tif 000005
【図４】
2007297085.tif 000006
【図５】
2007297085.tif 000007